(57)【要約】【課題】携帯端末のメニュー表示にエンタテインメント性を付加する。【解決手段】第１階層メニューの各メニュー項目にそれぞれ対応づけられた複数のアイテムを配置した背景画像を含む第１階層メニュー画面、および、第１階層メニューのメニュー項目毎に用意された複数の第２階層メニュー画面を表示画面上に表示する。表示画面上で、前記複数のアイテム間でフォーカスを移動させるフォーカス移動操作、および、目的のメニュー項目に対応するアイテムがフォーカスされた状態で決定操作を行う。前記複数の第２階層メニュー画面の各々として、前記第１階層メニュー画面上の少なくとも当該第２階層メニュー画面に対応するアイテムを拡大して表示するとともに、当該第１階層メニュー項目を連想させる画像を追加表示する。【選択図】図１２
2010238261.tif 000002
【特許請求の範囲】
【請求項１】
複数のメニュー項目を有する第１階層メニューとこの第１階層メニューの各メニュー項目に対応づけられた第２階層メニューとを有する階層構造のメニューを表示する表示画面を備えた携帯端末装置であって、
第１階層メニューの各メニュー項目にそれぞれ対応づけられた複数のアイテムを配置した背景画像を含む第１階層メニュー画面、および、第１階層メニューのメニュー項目毎に用意された複数の第２階層メニュー画面を前記表示画面上に表示する表示手段と、
前記表示画面上で、前記複数のアイテム間でフォーカスを移動させるフォーカス移動操作、目的のメニュー項目に対応するアイテムがフォーカスされた状態で決定操作を行うための操作手段と備え、
前記表示手段は、前記複数の第２階層メニュー画面の各々として、前記第１階層メニュー画面上の少なくとも当該第２階層メニュー画面に対応するアイテムを拡大して表示するとともに、当該第１階層メニュー項目を連想させる画像を追加表示する
ことを特徴とする携帯端末装置。
【請求項２】
前記表示手段は、前記第１階層メニュー画面において、第１階層メニューの全メニュー項目を表す複数のアイコンを表示するとともに、前記フォーカスされたアイテムに連動して当該アイテムに対応するアイコンもフォーカスする請求項１記載の携帯端末装置。
【請求項３】
前記複数のアイコンのうち、フォーカスされたアイコンについてのみ当該メニュー項目を表すタイトル文字列を表示することを特徴とする請求項２記載の携帯端末装置。
【請求項４】
複数のメニュー項目を有する第１階層メニューとこの第１階層メニューの各メニュー項目に対応づけられた第２階層メニューとを有する階層構造のメニューを表示する表示画面を備えた携帯端末装置におけるメニュー表示方法であって、
第１階層メニューの各メニュー項目にそれぞれ対応づけられた複数のアイテムを配置した背景画像を含む第１階層メニュー画面、および、第１階層メニューのメニュー項目毎に用意された複数の第２階層メニュー画面を前記表示画面上に表示するステップと、
前記表示画面上で、前記複数のアイテム間でフォーカスを移動させるフォーカス移動操作、目的のメニュー項目に対応するアイテムがフォーカスされた状態で決定操作を行うステップと、
前記複数の第２階層メニュー画面の各々として、前記第１階層メニュー画面上の少なくとも当該第２階層メニュー画面に対応するアイテムを拡大して表示するとともに、当該第１階層メニュー項目を連想させる画像を追加表示するステップと
を備えたことを特徴とするメニュー表示方法。
【請求項５】
前記第１階層メニュー画面において、第１階層メニューの全メニュー項目を表す複数のアイコンを表示するとともに、前記フォーカスされたアイテムに連動して当該アイテムに対応するアイコンもフォーカスするステップをさらに備えた請求項４記載のメニュー表示方法。
【請求項６】
前記複数のアイコンのうち、フォーカスされたアイコンについてのみ当該メニュー項目を表すタイトル文字列を表示することを特徴とする請求項５記載のメニュー表示方法。
【請求項７】
複数のメニュー項目を有する第１階層メニューとこの第１階層メニューの各メニュー項目に対応づけられた第２階層メニューとを有する階層構造のメニューを表示する表示画面を備えた携帯端末装置において実行されるメニュー表示プログラムであって、
第１階層メニューの各メニュー項目にそれぞれ対応づけられた複数のアイテムを配置した背景画像を含む第１階層メニュー画面、および、第１階層メニューのメニュー項目毎に用意された複数の第２階層メニュー画面を前記表示画面上に表示するステップと、
前記表示画面上で、前記複数のアイテム間でフォーカスを移動させるフォーカス移動操作、目的のメニュー項目に対応するアイテムがフォーカスされた状態で決定操作を行うステップと、
前記複数の第２階層メニュー画面の各々として、前記第１階層メニュー画面上の少なくとも当該第２階層メニュー画面に対応するアイテムを拡大して表示するとともに、当該第１階層メニュー項目を連想させる画像を追加表示するステップと
をコンピュータに実行させるメニュー表示プログラム。
【請求項８】
前記コンピュータに実行させるステップとして、
前記第１階層メニュー画面において、第１階層メニューの全メニュー項目を表す複数のアイコンを表示するとともに、前記フォーカスされたアイテムに連動して当該アイテムに対応するアイコンもフォーカスするステップをさらに備えた請求項７記載のメニュー表示プログラム。
【請求項９】
前記複数のアイコンのうち、フォーカスされたアイコンについてのみ当該メニュー項目を表すタイトル文字列を表示することを特徴とする請求項８記載のメニュー表示プログラム。
【発明の詳細な説明】
【技術分野】
【０００１】
従来の携帯電話機のような携帯端末においては、複数のメニュー項目を選択可能にユーザに提示するメニュー画面が用意されている。また、機能の多種多様化に伴い、階層的なメニュー構造が採用されることもある。
【０００２】
従来のメニュー画面は、選択肢であるメニュー項目を表す文字列やアイコンを表示画面上に表示し、ユーザの操作により目的のメニュー項目を選択・決定できるようになっている。
【０００３】
本発明は、表示画面上に複数のメニュー項目を含むメニューを表示する携帯端末装置に関するものである。
【発明の概要】
【発明が解決しようとする課題】
【０００４】
そのような従来のメニュー画面の表示はフォーカスが移動する以外、静的な表示であり、実用的ではあっても、面白みに欠けるというのが実情である。
【０００５】
特に、携帯電話機のような携帯端末は個人で所持され、１日のうちに何度も利用されるものであるため、実用的な操作性だけでなく、使用していて楽しい、飽きの来ない、エンタテインメント性も考慮した画面構成とすることが望まれる。
【０００６】
本発明はこのような背景においてなされたものであり、携帯端末のメニュー表示にエンタテインメント性を付加しようとするものである。
【課題を解決するための手段】
【０００７】
本発明による携帯端末装置は、表示画面上に複数のメニュー項目を含むメニューを表示する携帯端末装置であって、各メニュー項目にそれぞれ対応づけられた複数のアイテムを配置した背景画像を表したメニュー画面を前記表示画面上に表示する表示手段と、前記メニュー画面において、前記複数のアイテム間でフォーカスを移動させるフォーカス移動操作、目的のメニュー項目に対応するアイテムがフォーカスされた状態で決定操作を行うための操作手段と備え、前記表示手段は、少なくとも現在の時刻をパラメータとして、前記背景画像の色調を変更することを特徴とする。
【０００８】
メニュー画面の本来の目的は、複数のメニュー項目の中から所望のメニュー項目をユーザに選択させることにあるが、この構成によれば、メニュー画面の背景画像が１日の時間の経過とともにその色調が変化する。背景画像が外の風景である場合、これにより利用者は室内に居ても、メニュー画面の変化から、外の風景の時間変化を疑似体験できる。（但し、本発明によるメニュー画面上での風景の変化はエンタテインメント性の付加が目的なので、その正確性を要求するものではない。）
【０００９】
具体的には、１日を複数の時間帯に分割し、前記表示手段は、現在の時刻が属する時間帯に応じて前記背景画像の色調を変更する。
【００１０】
前記時間帯の境界は当日の日の出／日の入時刻に応じて変更するようにすれば、季節変化もメニュー画面に反映される。
【００１１】
前記表示手段は、現在の日時に対応づけられた天気に応じて前記背景画像に当該天気に対応する天気表示を追加するようにしてもよい。これにより、メニュー画面に天気状態が反映される。
【００１２】
前記表示手段は、現在の日時、天気、平日／休日の少なくとも一つをパラメータとして、前記背景画像に異なる登場人物パターンを重ねて表示するようにしてもよい。これにより、メニュー画面により多様性が与えられる。
【００１３】
本発明による他の携帯端末装置は、複数のメニュー項目を有する第１階層メニューとこの第１階層メニューの各メニュー項目に対応づけられた第２階層メニューとを有する階層構造のメニューを表示する表示画面を備えた携帯端末装置であって、第１階層メニューの各メニュー項目にそれぞれ対応づけられた複数のアイテムを配置した背景画像を含む第１階層メニュー画面、および、第１階層メニューのメニュー項目毎に用意された複数の第２階層メニュー画面を前記表示画面上に表示する表示手段と、前記表示画面上で、前記複数のアイテム間でフォーカスを移動させるフォーカス移動操作、目的のメニュー項目に対応するアイテムがフォーカスされた状態で決定操作を行うための操作手段と備え、前記表示手段は、前記複数の第２階層メニュー画面の各々として、前記第１階層メニュー画面上の少なくとも当該第２階層メニュー画面に対応するアイテムを拡大して表示するとともに、当該第１階層メニュー項目を連想させる画像を追加表示することを特徴とする。
【００１４】
この構成では、第１階層メニューの背景画像中に配置されたアイテムが第１階層メニューのメニュー項目に対応づけられ、また、各第１階層メニュー項目は第２階層メニューとも共通のアイテムで対応づけられている。第１階層メニューの背景画像中のアイテムは直接的にそのメニュー項目と関連はなくても、第２階層メニュー画面において、当該第１階層メニュー項目を連想させる画像を追加表示することにより、個々の第１階層メニュー項目単位に用意される第２階層メニュー画面では当該第１階層メニュー項目への関連性がその背景画像で認識される。
【００１５】
本発明は、メニュー表示方法およびメニュー表示プログラムとしても把握することが可能である。
【発明の効果】
【００１６】
本発明によれば、携帯端末装置のメニュー画面においては複数のメニュー項目の中から所望のメニュー項目を選択する操作性を維持しつつ、背景画像の色調等を時間の経過に応じて動的に変化させることができる。これにより、メニュー画面を単なる操作用のユーザインタフェースとしてのみならず、エンタテインメントの手段として利用することが可能となる。背景画像上の天気状態や登場人物等も併せて変更することによって、より一層の変化や意外性を持たせることができ、エンタテインメント性が向上する。
【００１７】
また、第１階層と第２階層の階層構造メニューにおいて、背景画像上に配置された複数のアイテムに第１階層メニュー項目を割り当て、かつ、各第２階層メニュー画面において当該第１階層メニュー項目を連想させる画像を追加表示することにより、当該第１階層メニュー項目への関連性を表現することができ、その結果、従来なかった斬新な階層構造メニューの提示が可能となる。
【００１８】
また、このような新規なエンタテインメント性の付加されたメニュー画面を携帯端末に用意することにより、新規端末の購入や買い替えの需要を喚起することができる。
【図面の簡単な説明】
【００１９】
【図１】本発明の実施の形態における携帯端末の表側外観を示す平面図である。
【図２】図１に示した携帯端末のハードウェア構成の概略を示すブロック図である。
【図３】本発明の実施の形態における携帯端末に採用される複数階層のメニュー構成例を示す図である。
【図４】本発明の実施の形態におけるメインメニュー画面の生成に関連したデータ群を示す図である。
【図５】本発明の実施の形態におけるサブメニュー画面の生成に関連したデータ群を示す図である。
【図６】本発明の実施の形態における天気データの具体的な構成例を示す図である。
【図７】本発明の実施の形態における登場人物パターンを表す登場人物パターンデータテーブルを示す図である。
【図８】本発明の実施の形態における表示画面に表示されるメインメニュー画面の一例を示す図である。
【図９】本発明の実施の形態における天気を表す画像の説明図である。
【図１０】本発明の実施の形態における天気を表す他の画像の説明図である。
【図１１】図８に示したものとは別の登場人物パターンの例を示す図である。
【図１２】図８に示したアイコン６２１ａ（音楽）に対応するサブメニュー画面の例を示す図である。
【図１３】図８に示したアイコン６２１ｂ（エンタテインメント）に対応するサブメニュー画面の例を示す図である。
【図１４】図８に示したアイコン６２１ｃ（メニュー（設定））に対応するサブメニュー画面の例を示す図である。
【図１５】図８に示したアイコン６２１ｄ（テレビ）に対応するサブメニュー画面の例を示す図である。
【図１６】図８に示したアイコン６２１ｅ（ナビゲーション）に対応するサブメニュー画面の例を示す図である。
【図１７】図８に示したアイコン６２１ｆ（動画）に対応するサブメニュー画面の例を示す図である。
【図１８】本発明による実施の形態の動作を実現するための処理を表すフローチャートである。
【図１９】図１８のステップＳ１１に対応するメインメニュー画面表示の処理例を示すフローチャートである。
【図２０】図１８のステップＳ１５に対応するサブメニュー画面表示の処理例を示すフローチャートである。
【発明を実施するための形態】
【００２０】
以下、図面を参照しながら本発明の好適な実施の形態について詳細に説明する。ここでは、携帯端末装置（本明細書では単に端末ともいう）として、上部筐体と下部筐体が互いに重ね合わせ可能に連結された携帯電話機を例として説明するが、本発明はこのような携帯電話機の型に限定されるものではない。また、携帯電話機に限定されるものでもない。例えばＰＤＡ(Personal Digital Assistant)、ゲーム機等、任意の携帯端末に適用することが可能である。
【００２１】
図１は、本実施の形態における携帯端末１００の表側外観を示す平面図であり、上下筐体が開かれた開放状態を示している。この例では、上部筐体１０２の主表面上の表示部１０３が常に露出され、上部筐体１０２を下部筐体１２２に重ねた状態から上部筐体１０２を下部筐体１２２に対してスライドさせることにより下部筐体１２２上の第２操作部１２１が現れる型の携帯端末を示している。スライドは直線型であっても回転型であってもよい。また、上部筐体１０２が下部筐体１２２に対してスライドして重なる型のものを示したが、いわゆる二つ折り型（二枚貝型）のものであってもよいし、単一の筐体を用いるいわゆるストレート型であってもよい。
【００２２】
図示しない閉鎖状態では、下部筐体１２２の主表面に対して上部筐体１０２の背面が重なるように、両筐体が互いに重ね合わさる。
【００２３】
上部筐体１０２の主表面上の大半のエリアは表示部１０３が占めている。表示部１０３は液晶や有機ＥＬ等のディスプレイデバイスを有し、その表示画面は常時、外部に露出している。表示部１０３の上部にはスピーカ１０１が配置されている。スピーカ１０１は、電気信号を可聴な音声に変換するデバイスである。表示部１０３の下側のエリアには、限られた操作を行うための第１操作部１０５が配置されている。第１操作部１０５には、発話キー、電源／終話キー、クリアキー等の各種キー、およびジョグダイヤル（ここではディスクジョグ）１１０等の操作要素を含む。ジョグダイヤル１１０は、プッシュ操作が可能なプッシュボタン１１４を中心にその回りに上下左右の方向を指示できる方向指示（矢印）キー１１３、さらにその周囲に回転リング１１２を配置した入力装置である。音声を電気信号に変換するデバイスであるマイク１１５は、上部筐体１０２の下部に設けられている。
【００２４】
図１から分かるように、下部筐体１２２の主表面上には押圧操作される第２操作部１２１が配置されており、閉鎖状態では第２操作部１２１は上部筐体１０２の背後に隠れる。第２操作部１２１にはテンキーおよびマナーキー、メモキー等の操作要素が含まれる。
【００２５】
図２は、携帯端末１００のハードウェア構成の概略を示すブロック図である。この携帯端末１００は、携帯電話機に特有の要素として、アンテナ２０１、送受信処理部２０３、変復調処理部２０５、データ処理部２０７、Ｄ／Ａ変換器２０９、スピーカ２１０（図１の１０１に対応）、Ａ／Ｄ変換器２１１およびマイク２１２（図１の１１５に対応）を備える。スピーカ２１０は通話用と着信音用に複数あってよい。携帯端末１００は、また、これらの各要素を制御するＣＰＵ，ＲＯＭ等を含む制御部２２５、この制御部２２５により作業領域やデータの一時記憶領域として利用されるメモリ２２７、ユーザインタフェースとして機能する表示部２２０（図１の１０３に対応）、操作部２２３（図１の１０５、１２１に対応）、カレンダーおよび計時機能を有する時計部２２９、および端末の現在位置検出機能を有するＧＰＳ受信機２３１を備える。
【００２６】
図３に、本実施の形態における携帯端末１００に採用される、メインメニューに相当する第１階層と、この下位のサブメニューに相当する第２階層とからなる複数階層のメニュー構成例を示す。この例では、第１階層のメニュー項目には、「音楽」「エンタテイメント」「メニュー（設定）」「テレビ」「ナビゲーション」「動画」を含んでいる。第２階層は、第１階層の各メニュー項目に対してそれぞれ図示のような複数のサブメニュー項目を含んでいる。これらのメインメニュー項目およびサブメニュー項目はあくまで例示であり、具体的な内容については本発明に直接関係しないので特に詳述はしない。
【００２７】
図４に、メインメニュー画面の生成に関連したデータ群を示す。このデータ群は、メインメニュー画面データ３００、天気データ３１０、日の出／日の入時刻データ３２０、特別画像条件データ３３０、および色調データ３４０を含む。
【００２８】
メインメニュー画面データ３００は、メインメニューを表示する画面（メインメニュー画面）を構成するデータであり、背景画像３０１、アイコン画像３０２、アイコンタイトル３０３、アイテム画像３０４、人物パターン画像３０５、天気画像３０６、及び特別画像３０７を含む。背景画像３０１はメインメニュー画面の背景を構成する画像データである。この例では背景画像３０１は単一の場合を示しているが、複数用意され、選択的に使用されてもよい。アイコン画像３０２は、複数のメインメニュー項目に対応する複数のアイコンを表す画像データである。アイコンタイトル３０３は、各メインメニュー項目を表す文字列データである。アイテム画像３０４は、背景画像上に配置され各メインメニュー項目に対応づけられた複数のアイテムを表す画像データである。人物パターン画像３０５は、背景上に現れる人物（複数）のパターンを表す画像データである。天気画像３０６は、背景上に現れる晴、曇、雨等の天気状態を表す画像データである。特別画像３０７は、特定の日（または日時）において背景上に表示される特別の画像を表す画像データである。例えば、正月（１月１日〜１月５日）に建物前に配置される門松の画像、５月５日に建物の上に現れる鯉のぼりの画像、７月７日の夜の空に現れる天の川の画像、クリスマス時期に現れるクリスマスツリーの画像等である。
【００２９】
天気データ３１０は、過去の少なくとも１年分の実際の天気を表したデータである。天気は地域により異なるので、各地の天気データを用意しておき、ＧＰＳで確認された端末の位置に応じて該当する地域の天気データを選択するようにしてもよい。あるいは、天気データ３１０は通信ネットワーク経由で外部のデータサーバから当日の天気データを取得したものを用いることも可能である。
【００３０】
日の出／日の入時刻データ３２０は、当日の日の出および日の入の時刻を表すデータである。端末位置の経度によって誤差が出るので、ＧＰＳで確認された端末の位置（経度）での誤差を求め、この誤差で日の出／日の入時刻データ３２０を補正するようにしてもよい。特別画像条件データ３３０は、上述した特別画像を表示する条件を定めたデータである。色調データ３４０は、時間帯毎の背景画像の色調を定めたデータである。
【００３１】
図５は、サブメニュー画面の生成に関連したデータ群を示す。サブメニュー画面は、メインメニュー画面上の複数のメニュー項目の各々に対応して複数（この例では６個）用意される。すなわち、サブメニュー画面データ４００も複数存在する。各サブメニュー画面データ４００は、背景画像４０１、アイコン画像４０２、アイコンタイトル４０３、アイテム画像４０４、アイテム付加画像４０５、サブメニュー項目ボタン画像４０６、およびサブメニュー項目タイトル４０７を含む。
【００３２】
背景画像４０１は、サブメニュー画面の背景の画像を表す画像データである。アイコン画像４０２およびアイコンタイトル４０３は、メインメニュー画面のそれらと同じなので、それぞれ、メインメニュー画面データ３００のアイコン画像３０２およびアイコンタイトル３０３を用いることができる。アイテム画像４０４は、複数のサブメニュー項目のタイトルを表す文字列データである。アイテム付加画像４０５は、サブメニュー画面の背景上に表示される当該アイコンタイトルすなわちメインメニュー項目に対応する（当該メインメニュー項目から連想される）付加的な画像を表す画像データである。サブメニュー項目ボタン画像４０６は、複数のサブメニュー項目のボタン形状を表す画像データである。サブメニュー項目タイトル４０７は、複数のサブメニュー項目のタイトルを表す文字列データである。
【００３３】
図６は、上述した天気データ３１０（図４）の具体的な構成例を示す図である。この例では、１日を６分割した各時間帯毎の、過去の１年分の実際の天気を記録している。このデータを得るために、複数年の実際の天気の平均的なデータを用いてもよい。図の例では、１〜５の数字をそれぞれ、晴、曇、雨、雪、虹の各天気状態に割り当てている。
【００３４】
本実施の形態においてメインメニュー画面の背景上には登場人物が表れる。この登場人物パターンは状況に応じて変わる。図７に示した、登場人物パターンを表す登場人物パターンデータテーブル５２０は、時間帯、天気、平日／休日のあらゆる組み合わせの各々に対して５つの登場人物パターン（図４に示した人物パターン画像３０５に対応）を用意している。この「時間帯」は固定でもよいが、本実施の形態では、当日の日の出および日の入の時刻のデータ（図４の３２０）に基づいて時間帯の境界を変化させている（したがって、各時間帯の長さは均等ではない）。具体的には、１日を、早朝（日の出前１．５時間から日の出後１．５時間まで）、朝（日の出後１．５時間から午前１０時まで）、日中（午前１０時から日の入前１．５時間まで）、夕方（日の入前１．５時間から日の入後１．５時間まで）、夜（日の入後１．５時間から午後１０時まで）、深夜（午後１０時から日の出前１．５時間まで）の６個の時間帯に分割している。日の出／日の入時刻を考慮することによって、時間帯の境界は日によって変化することになる。
【００３５】
本例では、時間帯（６個）、天気（晴および曇を含む晴系と、雨、雪、虹を含む雨系の２個）、平日／休日（２個）の各組み合わせは２４通りあり、この各組に対して５パターンが設けられるので、パターン総数は１２０となる。登場人物は典型的には複数人であり、人以外に動物（犬、猫、鳥等）も含みうる。パターンの変化は、例えば、雨の時間帯には傘を差した人が多く、平日には勤め人風が多く、休日には家族連れが多い、等である。このような多数の状況に応じて、登場人物パターンが変化するので、全く同じ登場人物パターンが繰り返し表示されることが回避され、ユーザに飽きの来ない、確認が楽しくなるようなメニュー表示画面が提供されることになる。
【００３６】
背景画像全体の色調を定める色調データ３４０は、特に図示しないが、図７の登場人物パターンデータテーブル５２０と同様の時間帯に対応して、色調を表す色データを対応づけたデータテーブルとして用意することができる。例えば、早朝はピンク、午前はブルー、昼間はグリーン、夕方はオレンジ、夜は紫、深夜は黒、等とする。これにより、１日の時間経過とともに変化する外の色調や明るさを、メニュー画面の背景画像に反映させることができる。
【００３７】
以下、表示画面例を挙げて、本発明の具体的な応用例を説明する。
【００３８】
図８は、表示部１０３（図１）の表示画面に表示されるメインメニュー画面６００の一例を示す。この画面は平日の晴れた朝の風景を示している。ここでの携帯端末は携帯電話機なので、画面上部に受信状態やバッテリ、日時、曜日を示した表示領域６１０を有し、画面下部にいわゆるソフトキー（図１の第１操作部のキー等）として利用されるキーに割り当てられる機能を示すガイド表示領域６３０を有する。これらの表示領域６１０、６３０の間に位置する主要な表示領域６２０が本実施の形態におけるメニュー画面として利用される。（この例では、実際には背景画像は画面６００全体に表示され、表示領域６１０，６３０が背景画像の上下に重なる。）画面６００には風景（シーン）を表す背景画像が表示される。この背景画像の上部（表示領域６１０の下側）には、複数（この例では６個）のメインメニュー項目を表すアイコン６２１ａ〜６２１ｆが配置されている。これらのアイコン６２１ａ〜６２１ｆはそれぞれ上述した「音楽」「エンタテイメント」「メニュー（設定）」「テレビ」「ナビゲーション」「動画」に対応し、一時に１個のみがフォーカスされる。本明細書において「フォーカス」とは表示の輝度や色等の表示態様を変えることにより強調表示することをいう。図示の例では、フォーカスされたアイコンをハイライト表示により強調するとともに、他のアイコンの輝度を落としている。
【００３９】
また、複数のアイコン６２１ａ〜６２１ｆのうち、フォーカスされたアイコンについてのみそのアイコンタイトル（文字列）を付随して表示するようにしている。アイコンタイトルの表示はフォーカスされたアイコンについてのみで足り、また、表示領域サイズの関係もあり、ある程度のフォントサイズの文字列を表示するには、他のアイコンのタイトルを表示することなく、フォーカスされたアイコンのみの文字列を比較的大きく表示することが、ユーザに当該アイコンが何であるかを正確に伝える意味でも有効である。
【００４０】
フォーカスは端末のユーザによる操作部１０５（例えば方向指示キー１１３の操作によりアイコン間を移動させることができる。
【００４１】
背景画像上にはアイコン６２１ａ〜６２１ｆにそれぞれ対応するアイテム６２２ａ〜６２２ｆが配置されている。図示の例では、これらはそれぞれ、ベンチ、柵、置き看板、建物１階窓、建物２階窓、建物入口階段部である。アイコン６２１ａ〜６２１ｆの一つがフォーカスされると、それに対応するアイテム６２２ａ〜６２２ｆが連動してフォーカスされるようになっている。図８の例では、アイコン６２１ｃがフォーカスされるとともに、これに対応づけられたアイテム（置き看板）６２２ｃがフォーカスされている様子を示している。本実施の形態ではアイテムのフォーカスは白色で示しているが、この場合も任意の強調表示を採用することができる。
【００４２】
上述したように、図８のメインメニュー画面は逐次変化する。変化する対象およびその変化の条件をまとめると、次のとおりである。
（１）背景画像の色調
【００４３】
背景画像の色調は、現在の日時をパラメータとして変化する。すなわち、１日を複数（本例では６）の時間帯に分割し、各時間帯で背景画像の色調を変える。上述の例では、背景画像全体の色調を、早朝はピンク、午前はブルー、昼間はグリーン、夕方はオレンジ、夜は紫、深夜は黒、等とする。時間帯は固定でもよいが、本実施の形態では、当日の日の出および日の入の時刻のデータ（図４の３２０）に基づいて時間帯の境界を変化させている。これによって、時間帯の境界は当日の日の出／日の入時刻に応じて変更することになる。前記背景画像の色調の変更は時間帯の境界時点において行うが、表示画面が他の画面からメニュー画面に切り替わる際にもその時点時刻に基づいて色調の変更要否を行うことが好ましい。色調は天気画像や登場人物に反映させてもよい。
（２）背景画像の天気
【００４４】
天気データ（図４の３１０）に基づいて、天気を表す画像を背景画像上に重ねて表示する。このような天気表示は、例えば、図９（ａ）（ｂ）（ｃ）に示すように、晴の場合には晴を示す雲、曇の場合には暗い空、雨の場合には雨粒６３３で表現することができる。また、図１０（ａ）（ｂ）に示すように、雪の場合には白い雪玉６３４、虹の場合には複数色のアーチ６３５で表現することができる。
（３）登場人物
【００４５】
現在の日時、天気、平日／休日の少なくとも一つをパラメータとして、前記背景画像に異なる登場人物パターン６２４（図８）を重ねて表示する。登場人物パターンの種類は上述したとおりである。図１１は別の登場人物パターン６２４ａの表示例を示している。この画面は平日の晴れた夕方の風景であり、登場人物パターン６２４ａには人の他、猫や鳥も含まれている。
【００４６】
このように、メインメニュー画面６００では、１日の時間経過に応じて、天気に応じて、季節に応じて、表示画面内の風景が変化する。
【００４７】
図８に示したメインメニュー画面６００において、アイコン（およびアイテム）がフォーカスされた状態で第１操作部１０５（例えばプッシュボタン１１４）を操作することにより、メニュー項目の選択を決定（確定）することができる。メインメニュー項目の選択が決定されると、表示画面はそのメインメニュー項目に対応するサブメニュー画面へ移行する。
【００４８】
図１２〜図１７に、本実施の形態におけるサブメニュー画面７００ａ〜７００ｆの一例を示す。本実施の形態では、サブメニュー画面においてもすべてのメインメニュー項目のアイコンを表示しているが、（ａ）該当するアイコンのみを表示する、（ｂ）メインメニュー項目のアイコンはすべて消去する、等の態様も採ることができる。各サブメニュー画面では、メインメニュー画面における当該アイテムを拡大（ズームアップ）して表示するとともに、当該メインメニュー項目を連想させる付加的な画像を追加表示する。このアイテム拡大画像は、必ずしも、メインメニュー画面内の背景画像の当該アイテムを含む部分を拡大したものである必要はなく、別途用意された画像であってもよい。メインメニュー画面において各アイテムは当該メインメニュー項目と直接の関係が認識できなくても（あるいは一見無関係に見えても）、サブメニュー画面においてはそのメインメニュー項目を連想させるような付加画像が追加されることにより、メインメニュー項目と当該アイテムとの対応づけがユーザに認識される。
【００４９】
図１２は、アイコン６２１ａ（音楽）に対応するサブメニュー画面７００ａの例を示している。このサブメニュー画面に対応するアイテムはベンチを表すアイテム６２２ａであり、この拡大表示に対して「音楽」を連想させる「さえずる小鳥」を表す付加画像７１０ａ（図５のアイテム付加画像４０５の一つに対応）を追加している。小鳥のさえずりは音符画像で表現している。このサブメニュー画面７００ａには、複数のサブメニュー項目７２０ａがサブメニュー項目ボタン画像４０６（図５、ここでは角丸横長の長方形）およびサブメニュー項目タイトル４０７（図５）で表示される。サブメニュー項目７２０ａは、メインメニュー項目のアイコンと同様、一度に一つのみがフォーカスされ、このフォーカスは操作部の操作により移動させることができ、また、所望のサブメニュー項目の選択を決定することができる。
【００５０】
図１３は、アイコン６２１ｂ（エンタテインメント）に対応するサブメニュー画面７００ｂの例を示している。このサブメニュー画面に対応するアイテムは柵を表すアイテム６２２ｂであり、この拡大表示に対して「エンタテインメント」を連想させる「風車」を表す付加画像７１０ｂ（図５のアイテム付加画像４０５の一つに対応）を追加している。このサブメニュー画面７００ｂには、複数のサブメニュー項目７２０ｂが上記と同様に表示される。
【００５１】
図１４は、アイコン６２１ｃ（メニュー（設定））に対応するサブメニュー画面７００ｃの例を示している。このサブメニュー画面に対応するアイテムは「置き看板」を表すアイテム６２２ｃであり、この拡大表示に対して「メニュー（設定）」を連想させる「工具を描いた看板」を表す付加画像７１０ｃ（図５のアイテム付加画像４０５の一つに対応）を追加している。このサブメニュー画面７００ｃには、複数のサブメニュー項目７２０ｃが上記と同様に表示される。
【００５２】
図１５は、アイコン６２１ｄ（テレビ）に対応するサブメニュー画面７００ｄの例を示している。このサブメニュー画面に対応するアイテムは建物の「１階窓」を表すアイテム６２２ｄであり、この拡大表示に対して窓から見える「テレビ」を表す付加画像７１０ｄ（図５のアイテム付加画像４０５の一つに対応）を追加している。このサブメニュー画面７００ｄには、複数のサブメニュー項目７２０ｄが上記と同様に表示される。
【００５３】
図１６は、アイコン６２１ｅ（ナビゲーション）に対応するサブメニュー画面７００ｅの例を示している。このサブメニュー画面に対応するアイテムは建物の「２階窓」を表すアイテム６２２ｅであり、この拡大表示に対してナビゲーションを連想する「地球儀」および「紙飛行機」を表す付加画像７１０ｅ（図５のアイテム付加画像４０５の一つに対応）を追加している。このサブメニュー画面７００ｅには、複数のサブメニュー項目７２０ｅが上記と同様に表示される。
【００５４】
図１７は、アイコン６２１ｆ（動画）に対応するサブメニュー画面７００ｆの例を示している。このサブメニュー画面に対応するアイテムは建物の「入口階段部」を表すアイテム６２２ｆであり、この拡大表示に対して動画を連想する「映画の１シーン」を表す付加画像７１０ｆ（図５のアイテム付加画像４０５の一つに対応）を追加している。このサブメニュー画面７００ｆには、複数のサブメニュー項目７２０ｆが上記と同様に表示される。
【００５５】
図１８に、上記のような本実施の形態の動作を実現するための処理を表すフローチャートを示す。この処理は制御部２２５のＣＰＵがメモリ２２７内に格納されているプログラムを実行することにより実現される。
【００５６】
まず、メインメニュー画面を表示する（Ｓ１１）。メインメニュー画面は携帯電話機の待受画面のような他の画面から、ユーザの指示により移行してもよいし、端末の電源オン時に直ちに表示される画面であってもよい。メインメニュー画面の表示の詳細例については、後述する。
【００５７】
メインメニュー画面の表示時点では予め定められたデフォルトのメインメニュー項目がフォーカスされており、ユーザによりメインメニュー項目のフォーカス移動指示があれば（Ｓ１２，Ｙｅｓ）、順次、次のメニュー項目へフォーカスを移動する（Ｓ１３）。現在フォーカスされているメインメニュー項目の選択が決定されると（Ｓ１４，Ｙｅｓ）、当該メインメニュー項目のサブメニュー画面を表示する（Ｓ１５）。この詳細については後述する。
【００５８】
サブメニュー画面においても、メインメニュー画面と同様、サブメニュー項目のフォーカス移動指示があれば（Ｓ１６，Ｙｅｓ）、順次、次のサブメニュー項目へフォーカスを移動する（Ｓ１７）。現在フォーカスされているサブメニュー項目の選択が決定されると（Ｓ１８，Ｙｅｓ）、当該サブメニュー項目のアプリケーションを実行する（Ｓ２０）。サブメインメニュー画面において、ユーザにより「戻る」指示があれば（Ｓ１９，Ｙｅｓ）、ステップＳ１２のメインメニュー画面に戻る。
【００５９】
図１９に、上記ステップＳ１１に対応するメインメニュー画面表示の処理例を示す。
【００６０】
まず、時計部２２９（図２）およびメモリ２２７内の各種データを参照して、現在の日時、平日／休日、天気を確認する（Ｓ３１）。この際、必要によって通信ネットワークに接続したり、ＧＰＳ受信機２３１により端末の位置を確認したりしてもよい。次いで、上述したように、メインメニュー画面の背景の色調、天気画像、登場人物パターンを決定する（Ｓ３２）。登場人物パターンは上述した条件に合致する複数パターンのうちの一つを所定の規則にしたがって選択する。所定の規則は予め定めた順序でもよいし、ランダムであってもよい。ついで、現在時点が特別日（または時）に属するか否かをチェックする（Ｓ３３）。そうであれば、当該特別画像を選択する（Ｓ３４）。そこで、天気画像、アイコン画像、アイコンタイトル、アイテム画像、人物パターン画像、特別画像（Ｓ３４で選択されていれば）を背景画像に重ねて表示する（Ｓ３５）。この際の背景画像の色調はＳ３２で決定したものとする。
【００６１】
その後、メインメニュー画面を変更する変更イベントが発生したら（Ｓ３６，Ｙｅｓ）、ステップＳ３１へ戻る。変更イベントは例えば、メインメニュー画面の表示中に現在時刻が上述した登場人物等の時間帯の境界時刻または天気の時間帯の境界時刻に達したとき、等である。変更イベントには端末ユーザによる明示的な指示を含めてもよい。
【００６２】
操作部からユーザの指示があれば（Ｓ３７，Ｙｅｓ）、この処理を終了して図１８の処理へ戻る。
【００６３】
図２０に、上記ステップＳ１５に対応するサブメニュー画面表示の処理例を示す。
【００６４】
まず、選択されたメインメニュー項目に対応するアイテムの拡大画像を含む背景画像を選択する（Ｓ４１）。ついで、当該アイテムのアイテム付加画像を選択する（Ｓ４２）。さらに、当該サブメニュー項目のボタン画像およびサブメニュー項目タイトルを選択する（Ｓ４３）。
【００６５】
その後、当該サブメニュー画面の背景画像に、天気画像、アイテム付加画像、ボタン画像、サブメニュー項目タイトルを重ねて表示する（Ｓ４４）。ユーザの指示があるまでこのサブメニュー画面の表示を継続し、ユーザの指示があれば（Ｓ４５，Ｙｅｓ）、この処理を終了して、図１８の処理へ戻る。
【００６６】
以上、本発明の好適な実施の形態について説明したが、上記で言及した以外にも種々の変形、変更を行うことが可能である。
【００６７】
例えば、上述した任意の画像は静止画を想定したが、動画であってもよい。人物パターン画像や付加画像をアニメーション表示することも可能である。
【００６８】
また、メインメニュー画面において、メインメニュー項目に対応するアイコンとアイテムの両方を表示するようにしたが、アイコン表示は必須ではなく省略可能である。
【００６９】
図面で提示した背景画像やアイコン、アイテム、ボタン、等の具体的な画像やデータ、およびそれらの個数、フローチャートの処理手順および各処理ステップの具体的な内容や順序はあくまで説明のための例示であり、本発明は必ずしもそれらに限定されるものではない。
【００７０】
階層構造メニューについては第１階層と第２階層の２階層の例を示したが、２階層に限るものではなく、３階層以上であってもよい。
【００７１】
第１階層から第２階層への画面遷移時に、拡大表示するアイテムをズームなどのアニメーションによって、連続的（シームレス）に表現するようにしてもよい。
【符号の説明】
【００７２】
１００…携帯端末、１０１…スピーカ、１０２…上部筐体、１０３…表示部、１０５…操作部、１１０…ジョグダイヤル、１１２…回転リング、１１３…方向指示キー、１１４…プッシュボタン、１１５…マイク、１２１…操作部、１２２…下部筐体、２０１…アンテナ、２０３…送受信処理部、２０５…変復調処理部、２０７…データ処理部、２０９…変換器、２１０…スピーカ、２１１…変換器、２１２…マイク、２２０…表示部、２２３…操作部、２２５…制御部、２２７…メモリ、２２９…時計部、２３１…受信機、３００…メインメニュー画面データ、３０１…背景画像、３０２…アイコン画像、３０３…アイコンタイトル、３０４…アイテム画像、３０５…人物パターン画像、３０６…天気画像、３０７…特別画像、３１０…天気データ、３２０…日の出／日の入時刻データ、３３０…特別画像条件データ、４００…サブメニュー画面データ、４０１…背景画像、４０２…アイコン画像、４０３…アイコンタイトル、４０４…アイテム画像、４０５…アイテム付加画像、４０６…サブメニュー項目ボタン画像、４０７…サブメニュー項目タイトル、５２０…登場人物パターンデータテーブル、６００…メインメニュー画面、６１０…表示領域、６２０…表示領域、６２１ａ〜６２１ｆ…アイコン、６２２ａ〜６２２ｆ…アイテム、６２４，６２４ａ…登場人物パターン、６３０…ガイド表示領域、６３３…雨粒、６３４…雪玉、６３５…アーチ、７００ａ〜７００ｆ…サブメニュー画面、７１０ａ〜７１０ｆ…アイテム付加画像、７２０ａ〜７２０ｆ…サブメニュー項目
【図１】
2010238261.tif 000003
【図２】
2010238261.tif 000004
【図３】
2010238261.tif 000005
【図４】
2010238261.tif 000006
【図５】
2010238261.tif 000007
【図６】
2010238261.tif 000008
【図７】
2010238261.tif 000009
【図１８】
2010238261.tif 000010
【図１９】
2010238261.tif 000011
【図２０】
2010238261.tif 000012
【図８】
2010238261.tif 000013
【図９】
2010238261.tif 000014
【図１０】
2010238261.tif 000015
【図１１】
2010238261.tif 000016
【図１２】
2010238261.tif 000017
【図１３】
2010238261.tif 000018
【図１４】
2010238261.tif 000019
【図１５】
2010238261.tif 000020
【図１６】
2010238261.tif 000021
【図１７】
2010238261.tif 000022